(57)【要約】      （修正有）【課題】さらなる薄型化に際しても放熱性が良好で信頼性の高い半導体装置を提供する。【解決手段】相対向する第１および第２主面を有し、前記第１主面Ｓ１に素子電極を有する半導体素子３と、前記半導体素子の第２主面Ｓ２が当接するように前記半導体素子を搭載する半導体素子搭載部１Ｓと、前記半導体素子搭載部から所定の間隔を隔てて配設されたリード端子１と、前記素子電極と前記リード端子とを電気的に接続する接続導体６と、前記半導体素子、前記接続導体および前記リード端子の一部を覆う封止樹脂７とからなり、前記リード端子が前記封止樹脂から外部に導出され、前記リード端子の先端部が前記封止樹脂の第１の面と一致するように成型された面実装型の半導体装置であって、前記半導体素子搭載部の裏面が前記封止樹脂の第２の面から露出するように形成されたことを特徴とする。【選択図】図１
2010157595.tif 000002
【特許請求の範囲】
【請求項１】
相対向する第１および第２主面を有し、前記第１主面に素子電極を有する半導体素子と、前記半導体素子の第２主面が当接するように前記半導体素子を搭載する半導体素子搭載部と、前記半導体素子搭載部から所定の間隔を隔てて配設されたリード端子と、前記素子電極と前記リード端子とを電気的に接続する接続導体と、前記半導体素子、前記接続導体および前記リード端子の一部を覆う封止樹脂とからなり、
前記リード端子が前記封止樹脂から外部に導出され、前記リード端子の先端部が前記封止樹脂の第１の面と一致するように成型された面実装型の半導体装置であって、
前記半導体素子搭載部の裏面が前記封止樹脂の第２の面から露出するように形成された半導体装置。
【請求項２】
請求項１に記載の半導体装置であって、
前記リード端子の前記封止樹脂から外部に導出される位置は前記封止樹脂の第２の面よりも前記封止樹脂の第１の面に近い半導体装置。
【請求項３】
請求項１に記載の半導体装置であって、
前記リード端子の前記封止樹脂から外部に導出される位置は前記封止樹脂の第１の面上にある半導体装置。
【請求項４】
請求項１乃至３のいずれかに記載の半導体装置であって、
前記リード端子は、ガルウイング型またはフラット型である半導体装置。
【請求項５】
請求項１乃至４のいずれかに記載の半導体装置であって、
前記半導体素子はディスクリート素子である半導体装置。
【請求項６】
半導体素子搭載部と、前記半導体素子搭載部に近接して設けられたリード端子とを有するリードフレームを用意する工程と、
前記半導体素子搭載部に半導体素子を接着する素子接着工程と、
前記半導体素子の主面に形成された素子電極および前記リード端子に、接続導体を接合する接合工程と、
前記リード端子が前記封止樹脂から外部に導出され、前記リード端子の先端部が前記封止樹脂の第１の面と一致するとともに、
前記半導体素子搭載部の裏面が前記封止樹脂の第２の面から露出するように、前記半導体素子および前記リード端子の一部を覆うように封止用樹脂で覆う樹脂封止工程とを含む半導体装置の製造方法。
【請求項７】
請求項６に記載の半導体装置の製造方法であって、
前記樹脂封止工程は、前記接合工程後に、上下反転させ、樹脂封止を実行する半導体装置の製造方法。
【発明の詳細な説明】
【技術分野】
【０００１】
本発明は、半導体装置およびその製造方法にかかり、特に樹脂封止型半導体装置において、パワーデバイスの放熱を目的とした実装構造に関するものである。
【背景技術】
【０００２】
近年、電子装置の高機能化、小型化、薄型化、軽量化への要求に応えて、電子装置に組み込まれる半導体装置においては高密度実装がなされている。このため、小型の半導体装置においても大電流下で使用されるものも多く、放熱が深刻な問題となっている。
【０００３】
従来、パワーＭＯＳＦＥＴのような大電流用の半導体素子の実装に際しては、放熱特性を高めるために種々の工夫がなされている。
その一例として特許文献１では、図５に示すように、例えば上側或いは下側表面にコンタクト領域を有する半導体素子１０３を用意し、この半導体素子１０３に直接接続するリード端子１０１，１０２を封止樹脂１０７から導出している。この構成ではリード端子を半導体素子の両面にそれぞれ直結することにより、リード端子からの放熱性が高められ、電気的及び熱的抵抗は低くなるとされている。
【０００４】
【特許文献１】特開平１１−３５４７０２号公報
【発明の開示】
【発明が解決しようとする課題】
【０００５】
上記半導体装置では、半導体素子の表裏両方の面に半田を介して接続することで、プリント基板にこの半導体装置を実装した後は、半導体素子の発熱をプリント基板側に放熱している。
しかしながら、パワー半導体デバイスにおいても、軽薄短小のパッケージが要求され、それに伴い、半導体素子の発熱に対する放熱性が深刻となり、放熱性に優れた新たなパッケージが必要となってきている。
【０００６】
本発明は前記実情に鑑みてなされたもので、さらなる薄型化に際しても放熱性が良好で信頼性の高い半導体装置を提供することを目的とする。
【課題を解決するための手段】
【０００７】
そこで本発明は、半導体素子の発熱の放散は、パッケージの上部（上面）の樹脂封止面の一部にリードフレーム（半導体素子搭載部）の一部の面を露出させることで、周囲温度による冷却効果あるいは周囲の風による冷却で、更に放熱効果が優れた構造の樹脂封止型半導体パッケージを得るようにしたものである。
【０００８】
本発明は、相対向する第１および第２主面を有し、前記第１主面に素子電極を有する半導体素子と、前記半導体素子の第２主面が当接するように前記半導体素子を搭載する半導体素子搭載部と、前記半導体素子搭載部から所定の間隔を隔てて配設されたリード端子と、前記素子電極と前記リード端子とを電気的に接続する接続導体と、前記半導体素子、前記接続導体および前記リード端子の一部を覆う封止樹脂とからなり、前記リード端子が前記封止樹脂から外部に導出され、前記リード端子の先端部が前記封止樹脂の第１の面と一致するように成型された面実装型の半導体装置であって、前記半導体素子搭載部の裏面が前記封止樹脂の第２の面から露出するように形成されたことを特徴とする。
この構成により、面実装型の半導体装置において、前記半導体素子搭載部の裏面が前記封止樹脂の第２の面から露出するように形成されているため、封止樹脂の厚みを減じることができ、かつ上面から半導体素子の発熱は、周囲温度による冷却効果あるいは周囲の風による冷却で、更に放熱効果を向上することができる。
【０００９】
また本発明は、上記半導体装置において、前記リード端子の前記封止樹脂から外部に導出される位置は前記封止樹脂の第２の面よりも前記封止樹脂の第１の面に近いことを特徴とする。
この構成によれば、樹脂封止工程において、半導体素子を搭載したリードフレームの重心が下方に位置するため、金型内に封止樹脂が注入される際にもリードが倒れるのを防止することができる。
【００１０】
また本発明は、上記半導体装置において、前記リード端子の前記封止樹脂から外部に導出される位置は前記封止樹脂の第１の面上にあるものを含む。
この構成によれば、実装面積を増大することなく、リード端子がプリント基板に当接する面積を増大することができる。
【００１１】
また本発明は、上記半導体装置において、前記リード端子は、ガルウイング型またはフラット型である。
この構成によれば、リード端子がプリント基板に当接する面積を増大することができる。
【００１２】
また本発明は、上記半導体装置において、前記半導体素子はディスクリート素子である。
【００１３】
また本発明の半導体装置の製造方法は、半導体素子搭載部と、前記半導体素子搭載部に近接して設けられたリード端子とを有するリードフレームを用意する工程と、前記半導体素子搭載部に半導体素子を接着する素子接着工程と、前記半導体素子の主面に形成された素子電極および前記リード端子に、接続導体を接合する接合工程と、前記リード端子が前記封止樹脂から外部に導出され、前記リード端子の先端部が前記封止樹脂の第１の面と一致するとともに、前記半導体素子搭載部の裏面が前記封止樹脂の第２の面から露出するように、前記半導体素子および前記リード端子の一部を覆うように封止用樹脂で覆う樹脂封止工程とを含む。
この構成により、薄型でかつ、放熱性が高く、信頼性の高い実装が実現可能となる。
【００１４】
また本発明は、上記半導体装置の製造方法において、前記樹脂封止工程は、前記接合工程後に、上下反転させ、樹脂封止を実行するものを含む。
この構成により、効率よくかつ信頼性の高い実装が実現される。
【発明の効果】
【００１５】
本発明の半導体装置によれば、半導体素子の裏面を半導体素子搭載部を封止樹脂から露呈させることで、より薄型化が可能となり、かつ半導体素子搭載部によって、直接熱を逃がし、放熱性が向上することができる。
【発明を実施するための最良の形態】
【００１６】
以下本発明の実施の形態について、図面を参照しながら詳細に説明する。
（実施の形態１）
本発明の実施の形態の樹脂封止型半導体装置を図１乃至３に示す。この半導体装置は縦型ＭＯＳＦＥＴであり、第１のリード端子１に搭載された半導体素子３表面に大面積の素子電極としてドレイン電極と、小面積の素子電極としてのゲート電極とが形成され、素子電極と第２のリード端子２とが、接続導体６を介して接続されている。図１は、本発明の樹脂封止型半導体装置の断面図、図２は上面図、図３は同製造工程を示す説明図である。
【００１７】
この樹脂封止型半導体装置は、相対向する第１および第２主面を有し、図１および図２に示すように第１主面Ｓ１に大面積の素子電極４としてのソース電極と小面積の素子電極５としてのゲート電極とを有する半導体素子３と、前記半導体素子３の第２主面Ｓ２が当接するように前記半導体素子を搭載する半導体素子搭載部１Ｓを構成する第１リード端子１と、このダイパッドから所定の間隔を隔てて配設された第２リード端子２と、素子電極４と第２リード端子２とを電気的に接続する幅広の帯状体からなる接続導体６と、半導体素子３、接続導体６および第１および第２リード端子１，２の一部を覆うとともに、第１および第２リード端子１，２の一部を外部に露出する封止樹脂７とからなり、前記リード端子が前記封止樹脂から外部に導出され、前記第１および第２のリード端子の先端部が前記封止樹脂７の第１の面と一致するように成型された面実装型の半導体装置であって、前記半導体素子搭載部１Ｓの裏面が前記封止樹脂７の第２の面Ｓ４から露出するように形成されたことを特徴とする。ここでＳ１は半導体素子の第１主面すなわち、半導体素子と接続導体６との接続面、Ｓ２は半導体素子の第２主面、Ｓ３は第１のリード端子１と接続導体６との接続面を示す。ここではフラットリードタイプの樹脂封止型半導体装置を構成する。
【００１８】
なお組み立てに際しては、前記接続導体６が、図示しないスプールで巻回された長尺体として形成され、１端を超音波接合した後に、位置あわせをして他端を超音波接合し、のちに切断することで、アーチ状に、接合する。なお、若干の張力をもつほど最短距離でまっすぐに接続されるようにしてもよい。
【００１９】
半導体素子３は、シリコン基板上に拡散層などの素子領域が形成されており、表面にゲート電極とソース電極とを具備し裏面がドレイン電極（図示せず）を構成するもので、ソース電極から突出するように表面が平坦な素子電極が形成されている。たとえば、半導体素子３と半導体素子搭載部（第１リード端子１）の第一主面とは、たとえば、はんだ材、熱硬化性樹脂、導電性接着剤等、導電性材料を用いて接合されている。また、接続上は、第１リード端子１の高さは、素子電極の形成された半導体素子３の頂面とほぼ同程度であるのが、望ましい。半導体素子搭載部は、たとえば、金属材料により形成されており、その一部に半導体装置の外部へと成形され、封止樹脂７の第１の面Ｓ１から導出されて第１リード端子１を構成している。第２のリード端子２も封止樹脂７の第２の面Ｓ０から導出されている。またゲート電極の接続については説明を省略するが、ソース電極のように大電流が流れるわけではないため、ワイヤボンディングによって接続する。なお素子電極は通常の突起電極であってもよい。
【００２０】
第２リード端子２は、たとえば、前記第１リード端子１を構成する金属材料と同一材料で一体的に形成されており、先端部は半導体装置の外部に露出する形で、第１リード端子の先端部と相対する位置に設置されている。
【００２１】
また、素子電極４と第１リード端子２の先端部とを電気的に接続する接続導体６を構成する導電性の帯状体は、たとえば、銅などの金属片から形成されているが、超音波接合を可能にするために表面にニッケルめっきを施している。ここで金属片としては、可撓性をもつものが望ましいが、可撓性をもたないものも使用可能である。例えば、導電性の帯状体として銅または銅合金を用いた場合、幅は０．３ｍｍから３ｍｍ程度であればよい。また導電性の帯状体の厚さは２０μｍから０．５ｍｍ程度である。
【００２２】
封止樹脂７は、第１および第２リード端子１，２をその相対向する辺側に導出する形で形成されており、たとえば、エポキシ樹脂等の封止樹脂により形成されている。
【００２３】
次にこの半導体装置の実装工程について説明する。
この方法では、半導体素子搭載部と、前記半導体素子搭載部に近接して設けられたリード端子とを有するリードフレームを用意する工程と、前記半導体素子搭載部に半導体素子を接着する素子接着工程と、前記半導体素子の主面に形成された素子電極および前記リード端子に、接続導体を接合する接合工程と、前記リード端子が前記封止樹脂から外部に導出され、前記リード端子の先端部が前記封止樹脂の第１の面と一致するとともに、前記半導体素子搭載部の裏面が前記封止樹脂の第２の面から露出するように、前記半導体素子および前記リード端子の一部を覆うように封止用樹脂で覆う樹脂封止工程とを含むことを特徴とする。ここで樹脂封止工程は、接合工程後に、半導体素子の搭載されたリードフレーム構体を上下反転させ、樹脂封止を実行する。
この構成により、薄型でかつ、放熱性が高く、信頼性の高い実装が実現可能となる。
【００２４】
まず、第１リード端子１に対向させて形成された第２リード端子２とを、枠体（図示せず）で連結するように打ち抜き加工などで成形するとともに、両リード端子の第１主面が上段となるようクランク状に段差を設けてフォーミングし、リードフレームを形成する（図３（ａ））。なお、リードフレーム表面にはＮｉめっきを施してもよい。そして、前記第１リード端子１の上段第１主面に半導体素子３をはんだ材（導電性接着剤）を用いて接続する（図３（ｂ））。
【００２５】
ここで半導体素子３の第１主面には素子電極４（図２参照）を有しており、該素子電極４と、接続導体としてスプールから繰り出された幅広の帯状、未切断の金属片からなる接続導体６の第１先端部とを位置決めし、超音波接合し、他端を切断し、超音波接合する（図３（ｃ））。ここでは超音波接合用ツールによって第１に直接超音波接合させ、仮止めをしてもよい。そして前記素子電極と前記第２リード端子２とが電気的に導通されるよう第２リード端子２の第１主表面および素子電極上を順次押圧するように超音波接合ツールが移動し直接超音波接合する（図３（ｄ））。
【００２６】
これらの接合には導電性ペースト等を介しての接続を行わず、直接超音波接合を行う為、半導体素子の接続位置のバラツキやサイズ変更に伴っての金属の厚み、幅、長さの変更が可能となっており接続不良の防止、または製品の低抵抗化の設計が実現可能である。
【００２７】
ここで、該導電性の帯状体は幅0.3mmから3mmで厚みが20μm〜0.5mmで、柔軟性のある金属、例えばアルミニウムまたはアルミニウム合金であるためスプールに巻かれた状態になっており、それが回転することで導電性の帯状体の供給を行い、接合後、切断して金属片からなる接続導体６を形成する。このアーチ形成等の形状変更が容易に可能となる。なお、封止用樹脂注入時に接続導体上下に気泡・未充填が発生しないよう穴を形成してもよい。
【００２８】
そして封止金型に前記リードフレーム、前記半導体素子３、接続導体６とを包含し、前記第１リード端子と前記第２リード端子との一部または全てを含んだキャビティーを形成して該キャビティー内に封止用樹脂、例えばエポキシ等の樹脂を注入して加熱硬化させて封止樹脂７が形成される（図３（ｅ））。ここで金属片に貫通穴を形成していることで封止樹脂が流動し易くなり、気泡の発生を抑制し、信頼性の高い封止樹脂７を得ることができる。
【００２９】
前記封止部から引き出された前記リードフレームの一部である前記第１リード端子と前記第２リード端子とのリード端子先端予定部を各々切断して外部引き出し端子としての該第１リード端子と該第２リード端子とする。
【００３０】
この樹脂封止型半導体装置によれば、半導体素子搭載部が実装面と対向する封止面から露呈し、かつプリント基板上にリード端子として接続されているため、薄型化が可能となりかつ、封止樹脂の両面から放熱することができ、放熱性を高めることができる。
【００３１】
また、この方法によれば、接続導体である導電性の帯状体をロール状のスプールから供給しながら、一端を素子電極に接合し、次いで位置あわせをして他端をリード端子にあわせて、切断して、超音波接合しているため、接続導体をあらかじめフォーミングすることなく、位置あわせをしながら接合することができ、位置ずれに伴うリークやショートなどを低減することができるため、信頼性が向上する。また、長さを調整しながら実装することができるため、材料に無駄がなく、低コスト化をはかることができる。
【００３２】
なお前記実施の形態では、接続導体を帯状金属としての銅に貫通穴を形成し折り曲げ易くなるように構成したが、その形状についてはこれに限定されるものではない。
また、前記接続導体は、厚さや材質を考慮して材料自体に可撓性をもたせ、可撓性の単体材料で構成してもよい。この構成により、薄型化が可能となり取り扱いが容易となる。
【００３３】
また接続導体として、第１主面から第２主面を貫通する貫通穴を有するものを用いてもよい。また貫通穴ではなく、少なくとも一部に凹凸を有するものを用いるようにしても、接続導体の可撓性を高めることができる。さらにまた、貫通穴と凹凸が並存していてもよいことはいうまでもない。
【００３４】
（実施の形態２）
前記実施の形態１では、第１および第２のリード１，２は、封止樹脂７の第２の面Ｓ０から導出し、フラットリードタイプとしたが、本実施の形態では、図４に示すように、封止樹脂の側面においてより第２の面に近い側に導出された、いわゆるガルウイング型の半導体装置であることを特徴とする。他は前記実施の形態と同様である。なお接続導体は単層構造で構成したが、絶縁層と金属箔との積層体で接続導体を構成してもよい。
この構成によっても、放熱性の向上と低背化が可能となる。
【００３５】
なお、前記実施の形態では、フラットリード型およびガルウィング型のリードをもつ半導体装置について説明したが、自立型（リード挿入型）の半導体装置にも適用可能である。半導体素子搭載部の裏面を封止樹脂から露出させることで、放熱性が向上する。
【産業上の利用可能性】
【００３６】
以上説明してきたように、本発明の樹脂封止型半導体装置は、半導体素子搭載部を半導体装置の実装面（プリント基板上）と対向する面で露呈させ、放熱させるようにしているため、半導体素子の両面から放熱させることができ、放熱性が良好であることから、パワートランジスタ、ダイオードなどへの適用が可能であり、薄型化により携帯電話などの携帯端末への適用に有効である。
【図面の簡単な説明】
【００３７】
【図１】本発明の実施の形態１における半導体装置の断面図
【図２】本発明の実施の形態１における半導体装置の上面図
【図３】本発明の実施の形態１における半導体装置の製造工程図
【図４】本発明の実施の形態２における半導体装置を示す断面図
【図５】従来例の半導体装置の断面図
【符号の説明】
【００３８】
１  第１リード端子
２  第２リード端子
３  半導体素子
４  素子電極
５  素子電極
６  接続導体
７  封止樹脂
Ｓ０  封止樹脂の第１の面
Ｓ１  半導体素子の第１主面
Ｓ２  半導体素子の第２主面
Ｓ３  接続導体と第２リードの接続面
Ｓ４  封止樹脂の第２の面
【図１】
2010157595.tif 000003
【図２】
2010157595.tif 000004
【図３】
2010157595.tif 000005
【図４】
2010157595.tif 000006
【図５】
2010157595.tif 000007